(57)【要約】【課題】  設置スペースを有効活用できるように構成した家庭用のランニングマシーンを提供できるようにする。【解決手段】  駆動ローラと従動ローラの間にエンドレスベルト５を張架してなる被トレーニング者を乗せるベルト走行部１と、このベルト走行部１におけるエンドレスベルト５左右のフレーム６にエンドレスベルト５の走行方向に延設してなるガイド７、７に沿って移動する椅子２と、この椅子２に対応する高さの甲板１２を備えてなる前記ベルト走行部１の前寄りに設ける机３によってランニングマシーンを構成する。  これにより、ランニングマシーンを使用しない時は、ランニングマシーンのベルト走行部１上に引き出した椅子２に座って前方の机３で作業ができ、また、ランニングマシーンを使用する際は、机３の甲板１２を上昇させた後の空間にベルト走行部１上の椅子２を収納することで、ランニングマシーンを使用できる。【選択図】  図１
0003154369.tif 000002
【実用新案登録請求の範囲】
【請求項１】
駆動ローラと従動ローラの間にエンドレスベルトを張架してなる被トレーニング者を乗せるベルト走行部と、このベルト走行部におけるエンドレスベルト左右のフレームにエンドレスベルトの走行方向に延設してなるガイドに沿って移動する椅子と、この椅子に対応する高さの甲板を備えてなる前記ベルト走行部の前寄りに設ける机とより構成してなるランニングマシーン。
【請求項２】
前記ベルト走行部の駆動ローラと従動ローラの間に、ベルトの走行方向に回転する支持ローラを所定間隔で複数配設して、同支持ローラ上を通過するエンドレスベルト上に被トレーニング者を乗せるように構成してなる請求項１に記載のランニングマシーン。
【請求項３】
前記机の甲板を、昇降もしくは折り畳み可能に設けて、椅子を、甲板を昇降もしくは折り畳んだ後に空いた空間に収納できるように構成してなる請求項１に記載のランニングマシーン。
【請求項４】
前記机に、ベルト走行部上の被トレーニング者における頭部の略前方となる位置に第２の甲板を設けて構成してなる請求項１に記載のランニングマシーン。
【請求項５】
前記ベルト走行部の後ろ寄りに、ベルト走行部上の被トレーニング者における少なくとも背中を支持できる背当を設けて構成してなる請求項１に記載のランニングマシーン。
【考案の詳細な説明】
【技術分野】
【０００１】
本考案は、室内においてウォーキングやジョギングを行う際に使用されるランニングマシーンに関し、より詳しくは、設置スペースを有効活用できるように構成した家庭用のランニングマシーンに関する。
【背景技術】
【０００２】
従来、家庭で使用されるランニングマシーンは、使用者が乗るエンドレスベルトからなるベルト走行部が、同ベルト走行部の前側に立設するハンドル方向に跳ね上げ収納可能に設けられているものが多く、これにより、ランニングマシーンを使用しない時はベルト走行部をハンドル方向に跳ね上げ収納して、床面上におけるベルト走行部の占有スペースを空けられるようにしている。
【０００３】
しかしながら、重いベルト走行部を跳ね上げ収納するには相応の力を必要とするため、若い健康な人でも同ベルト走行部を跳ね上げ収納するのは大変であり、したがってランニングマシーンを使用しない時も、邪魔と認識しつつベルト走行部を跳ね上げ収納しないでそのまま床面に置いたままにしていることが多かった。
【先行技術文献】
【特許文献】
【０００４】
【特許文献１】特開平８−１０３５１３号公報（第１〜６頁、図１〜４）
【考案の概要】
【考案が解決しようとする課題】
【０００５】
本考案の目的とするところは、ランニングマシーンを使用しない時も、ベルト走行部を跳ね上げ収納しないで床面に置いたままにできて、また、ランニングマシーンを使用する際には、同ランニングマシーンを素早く使用可能な状態にできる家庭用のランニングマシーンを提供できるようにすることにある。
【０００６】
そして、本出願人は上述する課題を解決できる方法を鋭意検討し、その結果、ランニングマシーンと机と椅子を所定の構造で組み合わせることによって、ランニングマシーンを使用しない時でもベルト走行部を跳ね上げ収納しないで床面に置いたままにでき、そして、ランニングマシーンを使用する際は、同ランニングマシーンを素早く使用可能な状態にできることを見出した。
【課題を解決するための手段】
【０００７】
上述した課題を解決するために、本考案に係るランニングマシーンは、駆動ローラと従動ローラの間にエンドレスベルトを張架してなる被トレーニング者を乗せるベルト走行部と、このベルト走行部におけるエンドレスベルト左右のフレームにエンドレスベルトの走行方向に延設してなるガイドに沿って移動する椅子と、この椅子に対応する高さの甲板を備えてなる前記ベルト走行部の前寄りに設ける机とより構成したものとしてある。
【０００８】
また、前記ベルト走行部の駆動ローラと従動ローラの間に、ベルトの走行方向に回転する支持ローラを所定間隔で複数配設して、同支持ローラ上を通過するエンドレスベルト上に被トレーニング者を乗せるように構成したものとしてある。
【０００９】
また、前記机の甲板を、昇降もしくは折り畳み可能に設けて、椅子を、甲板を昇降もしくは折り畳んだ後に空いた空間に収納できるように構成したものとしてある。
【００１０】
また、前記机に、ベルト走行部上の被トレーニング者における頭部の略前方となる位置に第２の甲板を設けて構成したものとしてある。
【００１１】
また、前記ベルト走行部の後ろ寄りに、ベルト走行部上の被トレーニング者における少なくとも背中を支持できる背当を設けて構成したものとしてある。
【考案の効果】
【００１２】
本考案に係るランニングマシーンによれば、ランニングマシーンを使用しない時は、ランニングマシーンのベルト走行部上に引き出している椅子に座り、ベルト走行部の前寄りに備えた机の甲板上で所定の作業、例えば、パソコン操作や勉強等を行うことができる。
【００１３】
そして、ランニングマシーンを使用する際は、机の甲板を上昇させ、同上昇により甲板の下方に空いた空間内にベルト走行部上に引き出している椅子を収納することによってベルト走行部上から椅子を移動させることができるので、ランニングマシーンを素早く使用可能な状態にすることができる。
【００１４】
またベルト走行部の操作盤を、例えば椅子の背面側に装着して同操作盤がベルト走行部上でウォーキングやジョギングをしている被トレーニング者のすぐ前に位置するようにしているので、同被トレーニング者が走行速度等を調節する際も操作を安全にかつ素早く調節でき、したがって、操作の遅れ等によって被トレーニング者がベルト走行部の後方に流されて転倒や落下する危険を低減できる。
【００１５】
そして、被トレーニング者が、ウォーキングやジョギングの最中にベルト走行部の後ろ寄りに設けた背当によって自分の背中を支えてもらうことにより、同被トレーニング者は両手を自由にできるので、例えば、ベルト走行部の前寄りに備えた机の甲板上に置いたパソコンや手に持ったゲーム機のコントローラの操作、あるいは、読書をしながらでも安全にウォーキングやジョギングを行うことができる。
【００１６】
また、背当により、被トレーニング者が走行速度等を調整する際に同操作の遅れ等によって被トレーニング者がベルト走行部の後方に流された場合でも、被トレーニング者の背中が支持されるので、被トレーニング者の転倒また落下の危険を低減できる。
【００１７】
そして、ベルト走行部の駆動ローラと従動ローラの間に支持ローラを複数配設して、この支持ローラ上を通過するエンドレスベルト上に被トレーニング者を乗せるように構成するものは、被トレーニング者の足裏が支持ローラによって刺激されるので、個人差はあるものの被トレーニング者の疲労を低減でき、より長い時間ウォーキングやジョギングをすることもできる。
【図面の簡単な説明】
【００１８】
【図１】本考案に係るランニングマシーンの実施例を示す斜視図。
【図２】使用できる状態にしたランニングマシーンを示す斜視図。
【図３】使用できる状態にしたランニングマシーンを側方より見た図。
【図４】ベルト走行部の実施例を示す斜視図。
【図５】ベルト走行部の後方より見るガイド形状の一例を示した図。
【図６】ランニングマシーンの他の使用状態を側方より見た図。
【考案を実施するための形態】
【００１９】
以下、本考案に係るランニングマシーンの実施例を、添付図面に示す具体例に基づいて詳細に説明する。
【００２０】
本考案のランニングマシーンは、図１に示すように、ベルト走行部１たるランニングマシーン本体と椅子２と机３を組み合わせて構成してある。
【００２１】
前記ベルト走行部１は、駆動ローラと従動ローラの間に被トレーニング者を乗せるエンドレスベルト５を張架する公知の構造（図示は省略）で構成するが、被トレーニング者が乗る駆動ローラと従動ローラの間は、図４に示すように、駆動ローラ１９と従動ローラ２０の間にエンドレスベルト５の走行方向に回転する複数の支持ローラ２１を一定間隔で配設してある。
【００２２】
そして、ベルト走行部１におけるエンドレスベルト５左右のフレーム６、６上には、椅子２を移動させる際に同椅子２の移動方向を案内する例えば断面Ｌ字状のガイド７、７を設けていて、同ガイド７、７は、図５に示すように、ガイド７、７における水平部たる走路７ａ、７ａをそれぞれエンドレスベルト５側に位置させて配設してある。
【００２３】
また、ガイド７、７は、机３寄りの前方部分を上方に持ち上げた形状（乗越部８）にしてある。
【００２４】
そして、前記椅子２の台座１０は、キャスタ９、９を各々回転可能に備え、同台座１０のキャスタ９、９を前記ガイド７、７における走路７ａ、７ａ上にセットしている。
【００２５】
また、椅子２の背面側には、ベルト走行部１の走行速度等を調節するための操作盤１１を取り付けている。
【００２６】
前記机３は、ベルト走行部１の前寄りに設けていて、また、通常状態において椅子２に対応する高さに設けている甲板１２は、実施例に一例として示した昇降機構部１３によって上方に移動できるようにしていて、かつ固定手段（図示は省略）により、少なくとも最上位置で固定できるようにしている。
【００２７】
また、机３には、ベルト走行部１上の被トレーニング者における頭部の略前方となる位置に、第２の甲板たる天板１４を設けている。
【００２８】
さらに、本ランニングマシーンには、ベルト走行部１の後ろ寄りにおけるベルト走行部１上の被トレーニング者２２（図３参照）の背中を支持できる位置に、柔軟性を有する素材で形成した背当１６を設けている。
【００２９】
以下、上述のように構成した本考案におけるランニングマシーンの作用について説明すると、未使用時のランニングマシーンは、図１に示すように、ベルト走行部１上に椅子２が引き出され、さらに机３の甲板１２が椅子２に対応する高さに降下されていて、椅子２に座って机３の甲板１２上で所定の作業、例えば、同図１のように、甲板１２上に置いたパソコン１７を操作して仕事や勉強等を行うことができるようになっている。
【００３０】
そして、ランニングマシーンを使用する際は、先ず、図２に示されるように、椅子２に対応する高さに降下している机３の甲板１２を、昇降機構部１３によって上方に移動して固定し、次いで、ベルト走行部１上に引き出されている椅子２を、上昇させた甲板１２の下方に空いた空間方向に押す。
【００３１】
したがって、椅子２の脚が取り付けられた台座１０のキャスタ９、９が、左右ガイド７、７における走路７ａ、７ａを同左右ガイド７、７によって案内されて行き、椅子２における前側の脚を取り付けている台座１０のキャスタ９、９がガイド７、７の乗越部８を乗り越えるまで椅子２を押す。
【００３２】
これにより、ガイド７、７における乗越部８の前側に椅子２における前側の脚を取り付けている台座１０のキャスタ９、９が位置し、同越部８の後ろ側に椅子２における後ろ側の脚を取り付けている台座１０のキャスタ９、９が位置して、ランニングマシーンを使用している際に、椅子２がベルト走行部１上に出でくるのを防止している。
【００３３】
そして、椅子２の背面側に設けた操作盤１１を適宜に操作することによってランニングマシーンは起動され、かつ操作盤１１を椅子２の背面側に設けているので、走行速度等を調節する際も同操作を安全にかつ素早く調節できる。
【００３４】
また、図６に示すように、例えば、机３の天板１４上に置いた映像等を表示するディスプレイ１８にゲーム画面を表示すれば、ベルト走行部１上でゲームのコントローラを操作しながらウォーキングやジョギングを行うこともできる。
【００３５】
上述のように、ゲームのコントローラを操作しながらベルト走行部１上でウォーキングやジョギングを行う場合は、同図６に示すように、ベルト走行部１の後ろ寄りに設けた背当１６によって被トレーニング者２２が自分の背中を支えてもらうことで、被トレーニング者２２は両手を自由にでき、安全に使用できる。
【００３６】
また、実施例では、机３の甲板１２を昇降機構部１３によって上方に移動できるようにして、この上昇させた甲板１２の下方に空いた空間に椅子２を収納するようにしているが、甲板１２を所定の方向に折り畳めるようにし、この甲板１２を折り畳んだ後の空間に椅子２を収納する場合がある。
【００３７】
また、ベルト走行部１の後ろ寄りに設ける背当１６は、同背当１６を取り付けているベルト走行部１上に立設する支柱１５、もしくは、背当１６部分を、エンドレスベルト５の回転方向に移動できるようにしておくのがよい。
【００３８】
また、実施例では示していないが、支柱１５に、略エンドレスベルト５の回転方向に伸長するベルト走行部１上における被トレーニング者２２の脇を支える脇支え部材を設ける場合がある。
【００３９】
実施例では、操作盤１１を椅子２の背面側に設けているが、使用者の所望の位置、例えば机３の甲板１２や天板１４に設けたり、また、操作盤１１を取り外し可能に設ける場合もある。
【符号の説明】
【００４０】
１  ベルト走行部
２  椅子
３  机
４  背当
５  エンドレスベルト
６  フレーム
７  ガイド
７ａ  走路
８  乗越部
９  キャスタ
１０  台座
１１  操作盤
１２  甲板
１３  昇降機構部
１４  天板
１５  支柱
１６  背当
１７  ノートパソコン
１８  ディスプレイ
１９  駆動ローラ
２０  従動ローラ
２１  支持ローラ
２２  被トレーニング者
【図１】
0003154369.tif 000003
【図２】
0003154369.tif 000004
【図３】
0003154369.tif 000005
【図４】
0003154369.tif 000006
【図５】
0003154369.tif 000007
【図６】
0003154369.tif 000008